【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
人的要因が関わる事故の環境要因を分析者が入力するための第１の入力手段と、
実施予定作業に関係する環境要因を参照者が入力するための第２の入力手段と、
前記実施予定作業と類似した状況で発生した事故に関する情報を表示する第１の出力手段と、
事故に関する情報を記憶する第１の記憶手段と、
複数の環境要因を、ｎ次要因（ｎ：自然数）と当該ｎ次要因を具体化した要因であるｎ＋１次要因として関連付けて記憶しておく第２の記憶手段と、
前記第１の記憶手段にて記憶された事故と前記第２の記憶手段で記憶された環境要因の関連を記憶する第３の記憶手段と、
前記第１の入力手段による入力情報に基づき、前記第３の記憶手段により記憶された前記事故と環境要因の関連を更新する分析制御手段と、
前記実施予定作業に関係する環境要因、前記第２の記憶手段により記憶された前記環境要因、および、前記第３の記憶手段により記憶された前記事故と環境要因の関連を用いて、前記実施予定作業と類似した状況で発生した類似事故を前記第１の記憶手段にて記憶された事故から特定する類似度算出手段と、
前記第２の入力手段による入力情報に基づき、前記第１の出力手段による前記類似事故の情報の出力を制御する参照制御手段とを備えることを特徴とする事故分析活用支援装置。
【請求項２】
前記事故分析活用支援装置はさらに
分析者による環境要因入力を支援する支援情報を表示する第２の出力手段と、
分析者あるいは参照者が前記第１あるいは第２の入力手段を介してｎ次要因を入力すると、前記第２の記憶手段を参照して、当該ｎ次要因に関連付けて記憶されているｎ＋１次要因を支援情報として前記第１あるいは第２の出力手段に一覧表示するように支援情報の表示制御を行う要因入力支援制御手段と、を備え、
前記第１の出力手段は、参照者による環境要因入力を支援する支援情報を表示し、
前記要因入力支援制御手段は、あるｎ次要因に対して入力検討が行われている際に、当該ｎ次要因に関連付けて前記第２の記憶手段に記憶されているｎ＋１次要因以外の新たなｎ＋１次要因が、前記第１あるいは第２の入力手段を介して分析者あるいは参照者により入力されると、当該ｎ次要因と関連付けて当該ｎ＋１次要因を前記第２の記憶手段に記憶するように蓄積制御を行うと共に、引き続きこの新たなｎ＋１次要因を分析者あるいは参照者が入力したｎ次要因として前記第２の記憶手段を参照し、当該ｎ次要因に関連付けて記憶されているｎ＋１次要因がある場合には、これらを抽出して前記支援情報として前記第１あるいは第２の出力手段に一覧表示する表示制御を継続して行うことを特徴とする請求項１に記載の事故分析活用支援装置。
【請求項３】
前記事故分析活用支援装置はさらに
参照者による作業手順書作成を支援する手順書作成支援手段と、
前記手順書作成支援手段により支援され作成された手順書情報と前記類似事故の情報を整形して文書データを生成する文書生成手段とを備え、
前記手順書作成支援手段は、第２の入力手段を介して参照者から手順書情報を受け付けるとともに、前記要因入力支援制御手段を開始して手順書が説明する作業に関係する環境要因の入力を支援することを特徴とする請求項２に記載の事故分析活用支援装置。
【請求項４】
前記類似度算出手段は、
前記第１の記憶手段に記憶された全ての事故に対して、前記実施予定作業との間の類似度を算出する作業・事故間類似度算出処理を実行し、それぞれの事故で算出した当該類似度を規定値と比較することにより、前記実施予定作業と類似した状況で発生した類似事故を特定することを特徴とする請求項１乃至３のいずれかの請求項に記載の事故分析活用支援装置。
【請求項５】
前記類似度算出手段は、作業・事故間類似度算出処理において、
前記第３の記憶手段に記憶された事故と環境要因の関連を参照し、類似度算出対象である事故に関係する複数の環境要因を抽出し、
当該事故の複数の環境要因から１つ、前記実施予定作業に関係する複数の環境要因から１つ、合計２つの環境要因からなる組に対して要因間類似度算出処理を実行し、当該事故および前記実施予定作業に関係する環境要因の全ての組に対して要因間類似度算出処理を実行して得られる要因間類似度の和を作業・事故間類似度とすることを特徴とする請求項４に記載の事故分析活用支援装置。
【請求項６】
前記類似度算出手段は、要因間類似度算出処理において、
前記第２の記憶手段に記憶された複数の環境要因を、ｎ次要因（ｎ：自然数）の下位にｎ＋１次要因を配置することで、ツリー状に配置し、
一方の要因から他方の要因までツリー上の上位下位関係をたどって移動するときの移動回数から要因間類似度を算出することを特徴とする請求項５に記載の事故分析活用支援装置。
【請求項７】
人的要因が関わる事故の環境要因を分析者が入力するための第１の入力手段と、
実施予定作業に関係する環境要因を参照者が入力するための第２の入力手段と、
前記実施予定作業と類似した状況で発生した事故に関する情報を表示する第１の出力手段と、
事故に関する情報を記憶する第１の記憶手段と、
複数の環境要因を、ｎ次要因（ｎ：自然数）と当該ｎ次要因を具体化した要因であるｎ＋１次要因として関連付けて記憶しておく第２の記憶手段と、
前記第１の記憶手段にて記憶された事故と前記第２の記憶手段で記憶された環境要因の関連を記憶する第３の記憶手段と、を有する処理装置における事故分析活用支援方法であって、
前記第１の入力手段による入力情報に基づき、前記第３の記憶手段により記憶された前記事故と環境要因の関連を更新する分析制御処理と、
前記実施予定作業に関係する環境要因、前記第２の記憶手段により記憶された前記環境要因、および、前記第３の記憶手段により記憶された前記事故と環境要因の関連を用いて、前記実施予定作業と類似した状況で発生した類似事故を前記第１の記憶手段にて記憶された事故から特定する類似度算出処理と、
前記第２の入力手段による入力情報に基づき、前記第１の出力手段による前記類似事故の情報の出力を制御する参照制御処理とを実行することを特徴とする事故分析活用支援方法。
【請求項８】
前記処理装置は、更に、分析者による環境要因入力を支援する支援情報を表示する第２の出力手段を有し、
前記事故分析活用支援方法はさらに
分析者あるいは参照者が前記第１あるいは第２の入力手段を介してｎ次要因を入力すると、前記第２の記憶手段を参照して、当該ｎ次要因に関連付けて記憶されているｎ＋１次要因を支援情報として前記第１あるいは第２の出力手段に一覧表示するように支援情報の表示制御を行う要因入力支援制御処理を実行し、
前記第１の出力手段に、参照者による環境要因入力を支援する支援情報を表示し、
前記要因入力支援制御処理は、あるｎ次要因に対して入力検討が行われている際に、当該ｎ次要因に関連付けて前記第２の記憶手段に記憶されているｎ＋１次要因以外の新たなｎ＋１次要因が、前記第１あるいは第２の入力手段を介して分析者あるいは参照者により入力されると、当該ｎ次要因と関連付けて当該ｎ＋１次要因を前記第２の記憶手段に記憶するように蓄積制御を行うと共に、引き続きこの新たなｎ＋１次要因を分析者あるいは参照者が入力したｎ次要因として前記第２の記憶手段を参照し、当該ｎ次要因に関連付けて記憶されているｎ＋１次要因がある場合には、これらを抽出して前記支援情報として前記第１あるいは第２の出力手段に一覧表示する表示制御を継続して行うことを特徴とする請求項７に記載の事故分析活用支援方法。
【請求項９】
前記事故分析活用支援方法はさらに
参照者による作業手順書作成を支援する手順書作成支援処理と、
前記手順書作成支援処理により支援され作成された手順書情報と前記類似事故の情報を整形して文書データを生成する文書生成処理とを実行し、
前記手順書作成支援処理は、第２の入力手段を介して参照者から手順書情報を受け付けるとともに、前記要因入力支援制御処理を開始して手順書が説明する作業に関係する環境要因の入力を支援することを特徴とする請求項８に記載の事故分析活用支援方法。
【請求項１０】
前記類似度算出処理は、
前記第１の記憶手段に記憶された全ての事故に対して、前記実施予定作業との間の類似度を算出する作業・事故間類似度算出処理を実行し、それぞれの事故で算出した当該類似度を規定値と比較することにより、前記実施予定作業と類似した状況で発生した類似事故を特定することを特徴とする請求項７乃至９のいずれかの請求項に記載の事故分析活用支援方法。
【請求項１１】
前記類似度算出処理は、作業・事故間類似度算出処理において、
前記第３の記憶手段に記憶された事故と環境要因の関連を参照し、類似度算出対象である事故に関係する複数の環境要因を抽出し、
当該事故の複数の環境要因から１つ、前記実施予定作業に関係する複数の環境要因から１つ、合計２つの環境要因からなる組に対して要因間類似度算出処理を実行し、当該事故および前記実施予定作業に関係する環境要因の全ての組に対して要因間類似度算出処理を実行して得られる要因間類似度の和を作業・事故間類似度とすることを特徴とする請求項１０に記載の事故分析活用支援方法。
【請求項１２】
前記類似度算出処理は、要因間類似度算出処理において、
前記第２の記憶手段に記憶された複数の環境要因を、ｎ次要因（ｎ：自然数）の下位にｎ＋１次要因を配置することで、ツリー状に配置し、
一方の要因から他方の要因までツリー上の上位下位関係をたどって移動するときの移動回数から要因間類似度を算出することを特徴とする請求項１１に記載の事故分析活用支援方法。
【請求項１３】
人的要因が関わる事故の環境要因を分析者が入力するための第１の入力手段と、
実施予定作業に関係する環境要因を参照者が入力するための第２の入力手段と、
前記実施予定作業と類似した状況で発生した事故に関する情報を表示する第１の出力手段と、
事故に関する情報を記憶する第１の記憶手段と、
複数の環境要因を、ｎ次要因（ｎ：自然数）と当該ｎ次要因を具体化した要因であるｎ＋１次要因として関連付けて記憶しておく第２の記憶手段と、
前記第１の記憶手段にて記憶された事故と前記第２の記憶手段で記憶された環境要因の関連を記憶する第３の記憶手段と、を有する処理装置において実行され、
前記処理装置を、
前記第１の入力手段による入力情報に基づき、前記第３の記憶手段により記憶された前記事故と環境要因の関連を更新する分析制御手段と、
前記実施予定作業に関係する環境要因、前記第２の記憶手段により記憶された前記環境要因、および、前記第３の記憶手段により記憶された前記事故と環境要因の関連を用いて、前記実施予定作業と類似した状況で発生した類似事故を前記第１の記憶手段にて記憶された事故から特定する類似度算出手段と、
前記第２の入力手段による入力情報に基づき、前記第１の出力手段による前記類似事故の情報の出力を制御する参照制御手段として機能させるための事故分析活用支援プログラムを記録した計算機で読み取り可能な記憶媒体。